(57)【要約】【課題】簡易な構成で分離合成素子を実現することが可能な光源装置を提供する。【解決手段】光源装置（１００）は、第１の波長域の光を発する光源部（２０）と、第１の波長域の光により励起されて第２の波長域の光を発する蛍光体（９）と、入射する光を反射する反射体（７）と、光源部から発せられた第１の波長域の光を、蛍光体と反射体とに分離し、反射体で反射された光と蛍光体で発せられた第２の波長域の光とを合成する分離合成素子とを有し、分離合成素子は、透明性平板と、透明性平板の光源側に設けられた第１の層と、透明性平板の第１の層の面とは反対側の面に設けられた第２の層とを有し、第１の層は、光源部から発せられた第１の波長域の光の一部を反射し、第１の波長域の光の他の一部を透過し、第２の層は、光源部から発せられた光のうち第１の波長域の光を透過し、第２の波長域の光を反射する。【選択図】図１
2020079820.tif 000002
【特許請求の範囲】
【請求項１】
第１の波長域の光を発する光源部と、
前記第１の波長域の光により励起されて第２の波長域の光を発する蛍光体と、
入射する光を反射する反射体と、
前記光源部から発せられた前記第１の波長域の光を、前記蛍光体と前記反射体とに分離し、前記反射体で反射された光と前記蛍光体で発せられた前記第２の波長域の光とを合成する分離合成素子と、を有する光源装置であって、
前記分離合成素子は、透明性平板と、前記透明性平板の光源側に設けられた第１の層と、前記透明性平板の前記第１の層の面とは反対側の面に設けられた第２の層と、を有し、
前記第１の層は、前記光源部から発せられた前記第１の波長域の光の一部を反射し、前記第１の波長域の光の他の一部を透過し、
前記第２の層は、前記光源部から発せられた光のうち前記第１の波長域の光を透過し、前記第２の波長域の光を反射する
ことを特徴とする光源装置。
【請求項２】
前記第１の層は、偏光分離層であり、
前記第２の層は、ダイクロイック層である
ことを特徴とする請求項１に記載の光源装置。
【請求項３】
前記分離合成素子と前記反射体との間の光路に配置された第１の位相差板を更に有し、
当該第１の位相差板を通過することで、前記第１の波長域の光は、前記第１の層を透過する光に変換される
ことを特徴とする請求項１または２に記載の光源装置。
【請求項４】
前記分離合成素子と前記蛍光体との間の光路に配置された第２の位相差板を更に有する
ことを特徴とする請求項１乃至３のいずれか１項に記載の光源装置。
【請求項５】
前記光源部と前記分離合成素子との間の光路に配置された第３の位相差板を更に有する
ことを特徴とする請求項１乃至４のいずれか１項に記載の光源装置。  
【請求項６】
前記光源部は、
前記第１の波長域の光を発する第１の光源と、
前記第１の波長域の光よりも短い第３の波長域の光を発する光源と、を有し、
前記第２の層は、前記第３の波長域の光を透過する
ことを特徴とする請求項１乃至４のいずれか１項に記載の光源装置。
【請求項７】
前記分離合成素子により反射された前記第１の波長域の光を反射させるミラーを更に有し、
前記反射体は、前記ミラーにより反射された前記第１の波長域の光を反射させる
ことを特徴とする請求項１乃至６のいずれか１項に記載の光源装置。
【請求項８】
前記蛍光体と前記反射体は、一体化されている
ことを特徴とする請求項７に記載の光源装置。
【請求項９】
前記蛍光体と前記反射体はそれぞれ回転可能である
ことを特徴とする請求項１乃至８のいずれか１項に記載の光源装置。
【請求項１０】
請求項１乃至９のいずれか１項に記載の光源装置と、
光変調素子と、
前記光源装置から出射した光を前記光変調素子に照明する照明光学系と、を有する
ことを特徴とする画像投射装置。
【発明の詳細な説明】
【技術分野】
【０００１】
本発明は、光源装置およびこれを用いた画像投射装置に関する。
【背景技術】
【０００２】
近年、高出力レーザーダイオードから発する光束を励起光として蛍光体に照射し、波長変換された蛍光光を用いる画像投射装置（プロジェクタ）が開発されている。
【０００３】
特許文献１には、蛍光体励起用の４４０ｎｍの青色レーザー、および、発生した蛍光光と足し合わせて白色光を生成するための４６０ｎｍの青色レーザーの２つのレーザー光源を有する画像投射装置が開示されている。また特許文献１に開示された画像投射装置は、２つのレーザー光源からのレーザー光を蛍光体および拡散体に向けて分離しつつ、発生した蛍光光と拡散された青色光とを合成する波長選択性偏光分離素子（分離合成素子）を有する。特許文献２には、偏光分離素子において、２つのプリズムの接合面のそれぞれに異なる機能の偏光分離膜を形成することにより、偏光分離素子の全体に要求される機能を分散することが開示されている。
【先行技術文献】
【特許文献】
【０００４】
【特許文献１】特開２０１５−０４９４４１号公報
【特許文献２】特開２０１５−０４９４４２号公報
【発明の概要】
【発明が解決しようとする課題】
【０００５】
しかしながら、特許文献２に開示された構成では、２つのプリズムを接着する際には接着材を介在させる必要がある。プリズムの接着剤には有機材料が含まれるため、青色レーザー光の吸収により接着剤が劣化する可能性がある。また特許文献２には、偏光分離素子（合成分離素子）のより簡易な構成として、ガラス平面板の両面に機能を分散させる膜を形成する構成が開示されている。この場合、接着剤を使用する必要がないが、光の入射および射出媒質が空気になるため、偏光分離素子の構成が複雑化する。
【０００６】
そこで本発明は、従来よりも簡易な構成で分離合成素子を実現することが可能な光源装置および画像投射装置を提供することを目的とする。
【課題を解決するための手段】
【０００７】
本発明の一側面としての光源装置は、第１の波長域の光を発する光源部と、前記第１の波長域の光により励起されて第２の波長域の光を発する蛍光体と、入射する光を反射する反射体と、前記光源部から発せられた前記第１の波長域の光を、前記蛍光体と前記反射体とに分離し、前記反射体で反射された光と前記蛍光体で発せられた前記第２の波長域の光とを合成する分離合成素子とを有する光源装置であって、前記分離合成素子は、透明性平板と、前記透明性平板の前記光源側に設けられた第１の層と、前記透明性平板の前記第１の層の面とは反対側の面に設けられた第２の層とを有し、前記第１の層は、前記光源部から発せられた前記第１の波長域の光の一部を反射し、前記第１の波長域の光の他の一部を透過し、前記第２の層は、前記光源部から発せられた光のうち前記第１の波長域の光を透過し、前記第２の波長域の光を反射する。
【０００８】
本発明の他の側面としての画像投射装置は、前記光源装置と、光変調素子と、前記光源装置から出射した光を前記光変調素子に照明する照明光学系とを有する。
【０００９】
本発明の他の目的及び特徴は、以下の実施形態において説明される。
【発明の効果】
【００１０】
本発明によれば、従来よりも簡易な構成で分離合成素子を実現することが可能な光源装置および画像投射装置を提供することができる。
【図面の簡単な説明】
【００１１】
【図１】第１の実施形態における光源装置の構成図である。
【図２】第１の実施形態における偏光分離層の分光特性図である。
【図３】第１の実施形態におけるダイクロイック層の分光特性図である。
【図４】第２の実施形態における光源装置の構成図である。
【図５】第３の実施形態における光源装置の構成図である。
【図６】第４の実施形態における光源装置の構成図である。
【図７】第５の実施形態における光源装置の構成図である。
【図８】第６の実施形態における画像投射装置の構成図である。
【発明を実施するための形態】
【００１２】
以下、本発明の実施形態について、図面を参照しながら詳細に説明する。
【００１３】
（第１の実施形態）
まず、図１を参照して、本発明の第１の実施形態における光源装置について説明する。図１は、本実施形態における光源装置１００の構成図である。光源装置１００は、光源（励起光源）１とコリメータレンズ２とを含む光源部２０、分離合成素子３、位相差板（第１の位相差板）５、集光レンズ６、拡散体（反射体）７、集光レンズ８、および、蛍光体９を有する。１０は、画像投射装置（プロジェクタ）の照明光学系の一部を構成するレンズ群であり、フライアイレンズ１０ａ、１０ｂを有する。
【００１４】
光源１は、光源１ａ、１ｂを有し、例えば４５０ｎｍ（青色）の波長（第１の波長域）の光を発する青色レーザーダイオードである。光源１から出射した光束は、発散光束であり、直後に配置されたコリメータレンズ２により平行光束となり、分離合成素子３に向けて進行する。また、光源１から出射した光束は直線偏光であり、光源１ａはＰ偏光、光源１ｂはＳ偏光を出射するように、各レーザーダイオードの向きが設定されている。
【００１５】
分離合成素子３は、光源部２０から発せられた第１の波長域の光を、蛍光体９と拡散体７とに分離し、拡散体７で反射された光と蛍光体９で発せられた第２の波長域の光とを合成する。分離合成素子３は、偏光分離層（第１の層または第１の誘電体多層膜）４ａ、ダイクロイック層（第２の層または第２の誘電体多層膜）４ｂ、および、透光性平板（透明性平板）４ｃを有する。偏光分離層４ａは、透光性平板４ｃの拡散体側の面（光源側）に設けられており、光源部２０から発せられた第１の波長域の光の一部を反射し、第１の波長域の光の他の一部を透過する。ダイクロイック層４ｂは、透光性平板４ｃの蛍光体側の面（偏光分離層４ａの面とは反対側の面）に設けられており、光源部２０から発せられた光のうち第１の波長域の光を透過し、第２の波長域の光を反射する。
【００１６】
分離合成素子３は、光軸ＯＡに対して４５度の角度で配置されている。このとき、光源１から出射した光束が入射する側と反対側の面とに、分光特性が互いに異なる偏光分離層４ａおよびダイクロイック層４ｂがそれぞれ形成されている。このような構成により、光源部２０から発せられた第１の波長域の光Ｂ（Ｐ）は分離合成素子３を透過して蛍光体９に向けて進み、光源部２０から発生された第１の波長域の光Ｂ（Ｓ）は分離合成素子３で反射して拡散体７に向けて進む。
【００１７】
蛍光体９は、第１の波長域の光が分離合成素子３に入射する際の透過光路側に配置されており、第１の波長域の光により励起されて第２の波長域（波長５００〜７００ｎｍ）の光を発する。拡散体７は、入射する光を反射するように構成されており、第１の波長域の光が分離合成素子３に入射する際の反射光路側に配置されている。位相差板５は、分離合成素子３と拡散体７との間の光路に配置されている。位相差板５を通過することで、第１の波長域の光は、偏光分離層４ａを透過する光に変換される。本実施形態において、蛍光体９および拡散体７はそれぞれ回転可能である。
【００１８】
次に、図２を参照して、分離合成素子３に形成されている偏光分離層４ａの分光特性を説明する。図２は、偏光分離層４ａの分光特性図である。図２において、横軸は波長（ｎｍ）、縦軸は透過率（％）をそれぞれ示す。
【００１９】
図２において、光源１から出射する光束の波長４５０ｎｍの帯域に注目すると、Ｐ偏光は透過し、Ｓ偏光は反射する。このように分離合成素子３には偏光分離層４ａが形成されている。波長５００ｎｍ〜７００ｎｍの帯域においては意図的に特性を不問としている。一般に、誘電体多層膜の製造難易度は、その分光特性について制約を加える波長域域が増えるほど増大する。そこで本実施形態において、好ましくは、偏光分離層４ａに対しては、その制約を青帯域の４５０ｎｍ（第１の波長域）の光のみとしつつ他の帯域は不問とする。すなわち分離合成素子３は、第１の波長域の光のみに関して偏光分離特性を有する。これにより、光源装置１００の製造難易度を下げることができ、設計が容易になる。
【００２０】
次に、図３を参照して、分離合成素子３に形成されているダイクロイック層４ｂの分光特性を説明する。図３は、ダイクロイック層４ｂの分光特性図である。図３において、横軸は波長（ｎｍ）、縦軸は透過率（％）をそれぞれ示す。図３に示されるように、ダイクロイック層４ｂは、４５０ｎｍの帯域の光を透過させ、５００〜７００ｎｍの帯域の光を反射する。このとき、分離合成素子３に入射したレーザー光は、まず、偏光分離層４ａに入射する。光源１からＰ偏光とＳ偏光との光が出射されるため、このうちＰ偏光成分Ｂ（Ｐ）は分離合成素子４を透過し、Ｓ偏光成分Ｂ（Ｓ）は分離合成素子４で反射する。
【００２１】
偏光分離層４ａで反射した青色レーザー光のＳ偏光成分Ｂ（Ｓ）は、位相差板５を透過した後、集光レンズ６で拡散体７に集光される。レーザー光は、拡散体７で拡散反射された後、再び、集光レンズ６および位相差板５に入射する。ここで位相差板５は、４５０ｎｍの帯域において１／４波長の位相差を有する。したがって、位相差板５に２回入射することで拡散反射された青色レーザー光は、Ｐ偏光となる。これにより、光束が再び分離合成素子３の偏光分離層４ａに入射した際には透過する。ダイクロイック層４ｂはいずれの偏光も透過する誘電体多層膜であるため、青色レーザー光は透過する。これにより、照明光学系の一部であるフライアイレンズ１０に導かれる。
【００２２】
一方、偏光分離層４ａを透過した青色レーザー光のＰ偏光成分Ｂ（Ｐ）は、ダイクロイック層４ｂに入射して透過する。透過した青色レーザー光は、集光レンズ８を介して、蛍光体９に集光される。蛍光体９に入射した青色レーザー光は吸収され、波長５００〜７００ｎｍの幅広い分光分布を有する蛍光光に変換されて反射される。蛍光体９から反射された蛍光光成分は、集光レンズ８により集光された後、再び、分離合成素子３に向かう。蛍光光は、分離合成素子３のダイクロイック層４ｂに入射する。ダイクロイック層４ｂは波長５００〜７００ｎｍの帯域で反射する特性を有する。このため、拡散された波長４５０ｎｍの青色レーザー光と同様に、フライアイレンズ１０に向かって進行する。このような構成により、拡散体７により拡散された青色レーザー光Ｂ（Ｐ）と蛍光体９で発生した蛍光光Ｙ（Ｐ＋Ｓ）とにより、白色光源装置を実現することができる。
【００２３】
本実施形態において、光源装置１００は、偏光状態が異なる青色レーザー光を入射して蛍光体９と拡散体７とに向けて分離し、発生した蛍光光と拡散された青色レーザー光とを合成して白色光を出射する。本実施形態の分離合成素子３において、光源１、拡散体７、および、蛍光体９は、光源１からの光束の反射側に拡散体７を配置し、透過側に蛍光体９を配置するように構成される。
【００２４】
本実施形態において、反射側には偏光分離層４ａ、透過側にはダイクロイック層４ｂのように、分離合成素子３の両側に必要な波長分離機能を簡略化且つ分散させることで、素子の製膜製造難易度を下げている。これにより、従来技術に対してより簡易な構成で分離合成素子３を実現することができる。特に、成膜製造難易度が下がるで、ガラスなどの平板での分離合成素子の実現が容易になり、光源装置や画像投射装置の簡略化に寄与する。なお図１には、照明光学系として、フライアイレンズ１０のみが示されているが、この後段には、コンデンサレンズ、画像表示素子、および、投射光学系が配置されており、フライアイレンズ１０を除く照明装置の各部は省略されている。
【００２５】
このように本実施形態の光源装置１００は、第１の波長域の光を発する光源部２０、第１の波長域の光により励起されて第２の波長域の光を発する蛍光体９、第１の波長域の光を拡散反射させる拡散体７、および、分離合成素子３を有する。分離合成素子３は、光源部と蛍光体および拡散体のそれぞれとの間の光路に配置され、第１の波長域の光を蛍光体と拡散体とに向けて分離し、且つ拡散体で拡散反射された第１の波長域の光と蛍光体で発せられた第２の波長域の光とを合成する。光源部から発せられた第１の波長域の光は、分離合成素子を透過して蛍光体に向けて進み、分離合成素子で反射して拡散体に向けて進む。分離合成素子は、透光性平板４ｃ、透光性平板４ｃの拡散体側の面に形成された偏光分離層４ａ、および、透光性平板４ｃの蛍光体側の面に形成されたダイクロイック層４ｂを有する。ダイクロイック層４ｂは、第１の波長域の光を透過し、第２の波長域の光を反射する。本実施形態によれば、簡易な構成で分離合成素子を実現することが可能な光源装置を提供することができる。
【００２６】
（第２の実施形態）
次に、図４を参照して、本発明の第２の実施形態における光源装置について説明する。図４は、本実施形態における光源装置１００ａの構成図である。光源装置１００ａは、光源（励起光源）１とコリメータレンズ２とを含む光源部２０、分離合成素子３、位相差板（第１の位相差板）５、集光レンズ６、拡散体７、集光レンズ８、蛍光体９、および、位相差板（第２の位相差板）１１を有する。１０は、画像投射装置（プロジェクタ）の照明光学系の一部を構成するレンズ群であり、フライアイレンズ１０ａ、１０ｂを有する。
【００２７】
本実施形態の光源装置１００ａは、分離合成素子３と蛍光体９との間の光路に位相差板（第２の位相差板）１１が配置されている点で、位相差板１１を有しない第１の実施形態の光源装置１００と異なる。なお、光源装置１００ａの他の構成は、光源装置１００と同様であるため、その説明は省略する。
【００２８】
位相差板１１は、光源１から出射した波長４５０ｎｍ（第１の波長域）の光に対して、１／４波長の位相差を有する。ここで、蛍光体９に入射した青色レーザー光のうちの全ての光が蛍光体９に吸収されるものではなく、必ず未変換の光成分が存在する。したがって、蛍光体９で未変換の青色レーザー光のうち一部の成分は、位相差板１１に往復で２回入射することで分離合成素子３に入射する際にＳ偏光成分となる。Ｓ偏光成分は、ダイクロイック層４ｂに対しては透過するが、偏光分離層４ａに入射した際に反射してフライアイレンズ１０に向けて進む。
【００２９】
本実施形態によれば、簡易な構成で分離合成素子を実現することが可能な光源装置および画像投射装置を提供することができる。また本実施形態によれば、蛍光体で未変換となり損失となった光の成分の一部を活用することができるため、光利用効率を向上させることが可能である。
【００３０】
（第３の実施形態）
次に、本発明の第３の実施形態における光源装置について説明する。図５は、本実施形態における光源装置１００ｂの構成図である。光源装置１００ｂは、光源（励起光源）１とコリメータレンズ２とを含む光源部２０ｂ、分離合成素子３、位相差板（第１の位相差板）５、集光レンズ６、拡散体７、集光レンズ８、蛍光体９、および、位相差板（第３の位相差板）１２を有する。１０は、画像投射装置（プロジェクタ）の照明光学系の一部を構成するレンズ群であり、フライアイレンズ１０ａ、１０ｂを有する。
【００３１】
本実施形態の光源装置１００ｂは、Ｐ偏光光のみを出射する光源部２０ｂを有する点、および、光源部２０ｂと分離合成素子３との間の光路に位相差板（第３の位相差板）１２が配置されている点で、第１の実施形態の光源装置１００と異なる。なお、光源装置１００ｂの他の構成は、光源装置１００と同様であるため、その説明は省略する。
【００３２】
位相差板１２は、光源部２０ｂの光源１から出射した波長４５０ｎｍ（第１の波長域）の光に対して、１／２波長の位相差を有する。したがって、位相差板１２を所定の角度で配置することにより、直線偏光の向きを変化させることができる。４５度偏光にすれば、分離合成素子３に対してＰ偏光とＳ偏光とを１：１の割合に分配することができる。また、位相差板１２に回転機構を設けることにより、分離合成素子３において拡散体７と蛍光体９とに向けて進む光を任意の配分比に分配することができる。
【００３３】
このように本実施形態では、光源部２０ｂから出射する偏光光の向きに応じて分離合成素子３における拡散体７と蛍光体９への分配比を制御するのではなく、位相差板１２の角度に応じて分配比を制御する。本実施形態によれば、白色光源装置のホワイトバランスを簡易な構成でより適切に設定することができる。
【００３４】
（第４の実施形態）
次に、図６を参照して、本発明の第４の実施形態における光源装置について説明する。図６は、本実施形態における光源装置１００ｃの構成図である。光源装置１００ｃは、光源（励起光源）１、１３とコリメータレンズ２とを含む光源部２０ｃ、分離合成素子３、位相差板（第１の位相差板）５、集光レンズ６、拡散体７、集光レンズ８、および、蛍光体９を有する。１０は、画像投射装置（プロジェクタ）の照明光学系の一部を構成するレンズ群であり、フライアイレンズ１０ａ、１０ｂを有する。
【００３５】
本実施形態の光源装置１００ｃは、波長４５０ｎｍ（第１の波長域）のＳ偏光光を出射する光源１と波長４００ｎｍ（第１の波長域の光よりも短い第３の波長域）のＰ偏光光を出射する光源１３とを有する光源部２０ｃを有する点で、光源装置１００と異なる。なお、光源装置１００ｃの他の構成は、光源装置１００と同様であるため、その説明は省略する。
【００３６】
青色レーザーダイオードは、半導体として窒化ガリウムを用いることが一般的である。窒化ガリウムの発光効率は、波長が４５０ｎｍよりも短くなるにつれて高くなり、波長が４５０ｎｍよりも長くなるにつれて低くなる。本実施形態では、蛍光体９の励起用として紫外帯域の光源１３を用いることにより、光源装置１００ｃの効率を向上させることができる。
【００３７】
また、図２に示される偏光分離層４ａの特性によれば、偏光分離層４ａは、波長４５０ｎｍの帯域のみに関しては、Ｐ偏光光を透過してＳ偏光光を反射する偏光分離性能を確保している。しかし、長波長または短波長にかけてのＰ偏光光およびＳ偏光光の特性のスロープを急峻にするには、成膜上の制約がある。したがって、入射角度が変化した場合や、製造上、カット波長がばらついた際に光源の波長に対する偏光分離性能が低下する可能性がある。本実施形態によれば、蛍光体励起用の波長の光を拡散体に入射し、青色光として利用する光の波長に対して短く設定することにより、成膜条件を緩和することや製造上のばらつきに対応することができる。
【００３８】
（第５の実施形態）
次に、図７を参照して、本発明の第５の実施形態における光源装置について説明する。図７は、本実施形態における光源装置１００ｄの構成図である。光源装置１００ｄは、光源（励起光源）１とコリメータレンズ２とを含む光源部２０、分離合成素子３、位相差板（第１の位相差板）５、集光レンズ６、拡散体（反射体）７ｄ、集光レンズ８、蛍光体９ｄ、ミラー３１、および、回転機構３２を有する。１０は、画像投射装置（プロジェクタ）の照明光学系の一部を構成するレンズ群であり、フライアイレンズ１０ａ、１０ｂを有する。
【００３９】
本実施形態の光源装置１００ｄは、分離合成素子３と位相差板５との間の光路にミラー（反射部材）３１が配置されている点、および、拡散体７および蛍光体９ｄが共通の回転機構３２に配置されている点で、第１の実施形態の光源装置１００と異なる。なお、光源装置１００ｄの他の構成は、光源装置１００と同様であるため、その説明は省略する。
【００４０】
ミラー３１は、分離合成素子３により反射された光を反射させる。拡散体７ｄは、ミラー３１により反射された光を拡散反射させる。また本実施形態において、蛍光体９ｄおよび拡散体７ｄは共通の回転機構３２に配置されて蛍光体９ｄと拡散体７ｄは一体化されており、蛍光体９ｄと拡散体７ｄは一体的に回転可能である。本実施形態によれば、蛍光体９ｄと拡散体７ｄとを一体的に構成して一体的に回転させることができるため、より簡易な構造で光源装置を実現することができる。
【００４１】
（第６の実施形態）
次に、図８を参照して、本発明の第６の実施形態について説明する。図８は、本実施形態におけるプロジェクタ（画像投射装置）１０００の構成図である。プロジェクタ１０００の光変調素子として、反射型液晶パネルが用いられている。図８において、１００は光源装置（光源装置１００に代えて、光源装置１００ａ〜１００ｄのいずれかであってもよい）、２００は照明光学系、３００は色分離合成光学系、および、４００は投射光学系である。光源装置１００は、照明光学系２００に向けて光を出射する。照明光学系２００は、光源装置１００からの光を照明する。色分離合成光学系３００は、照明光学系２００からの照明光に対して色分離および色合成を行う。投射光学系４００は、色分離合成光学系３００からの合成光を投射する。
【００４２】
色分離合成光学系３００において、３０１Ｒ、３０１Ｇ、３０１Ｂは、それぞれ、赤用、緑用、青用の光変調素子（赤用、緑用、青用の反射型液晶パネル）を備えた反射型液晶パネルユニットである。３０２Ｒ、３０２Ｇ、３０２Ｂは、それぞれ、赤用、緑用、青用の波長板を備えた波長板ユニットである。なお本実施形態において、反射型液晶パネルユニット３０１Ｒ、３０１Ｇ、３０１Ｂのそれぞれに含まれる光変調素子は反射型液晶パネルであるが、これに限定されるものではない。例えば、光変調素子として透過型液晶パネルを用いてもよい。反射型液晶パネルの数に関わらず、単板式や３板式などのいずれのプロジェクタにも適用可能である。
【００４３】
各実施形態によれば、簡易な構成で分離合成素子を実現することが可能な光源装置および画像投射装置を提供することができる。
【００４４】
以上、本発明の好ましい実施形態について説明したが、本発明はこれらの実施形態に限定されず、その要旨の範囲内で種々の変形及び変更が可能である。
【００４５】
例えば、蛍光体の冷却に配慮して蛍光体を回転する円盤に円環状に配置してもよい。円盤をモーターで回転させ、回転数を増大することで冷却効率を増大することができる。また、拡散体も円盤状の拡散板を同様にモーターで回転させてもよい。拡散板は積極的に冷却を行う必要はないが、回転させることでレーザー光のコヒーレンスに起因する投影画面上のちらつき、いわゆるスペックルを低減させることができる。
【符号の説明】
【００４６】
３  分離合成素子
４ａ  偏光分離層（第１の層）
４ｂ  ダイクロイック層（第２の層）
４ｃ  透光性平板（透明性平板）
７  拡散体（反射体）
９  蛍光体
２０  光源部
１００  光源装置
【図１】
2020079820.tif 000003
【図２】
2020079820.tif 000004
【図３】
2020079820.tif 000005
【図４】
2020079820.tif 000006
【図５】
2020079820.tif 000007
【図６】
2020079820.tif 000008
【図７】
2020079820.tif 000009
【図８】
2020079820.tif 000010